(57)【要約】【課題】集塵機の温度保護手段が作動してモータが停止した直後であっても集塵袋の交換等により直ちにモータを起動させることができるようにする。【解決手段】所定箇所の温度が設定温度に到達するとモータ１２７を強制的に停止させる温度保護手段１３０を備えた集塵機において、温度保護手段の作動によるモータの停止後、所定箇所の温度が設定温度以上であっても、モータ起動直後の一定時間は、上記温度保護手段の作動を抑止する抑止手段１２３によって、モータを強制的に作動させるようにする。集塵袋を交換した後、ゴミを取り除いた後等において、所定箇所の温度が設定温度より低下するのを待つことなく直ちにモータを起動し集塵作業を行うことができる。設定温度以上に昇温したモータ等は、ファンが吸引する空気によって、急速に冷却され直ちに通常使用できる状態に復帰する。【選択図】図３
2007050360.tif 000002
【特許請求の範囲】
【請求項１】
所定箇所の温度が設定温度に到達するとモータを強制的に停止させる温度保護手段を備えた集塵機において、温度保護手段の作動によるモータの停止後、上記所定箇所の温度が設定温度以上であっても、モータ起動直後の一定時間は、上記温度保護手段の作動を抑止する抑止手段によって、モータを強制的に作動させるようにしたことを特徴とする集塵機。
【請求項２】
所定箇所の温度が設定温度に到達するとモータを強制的に停止させる温度保護手段を備えた集塵機において、温度保護手段の作動によるモータの停止後、上記所定箇所の温度が設定温度以上であっても、電源スイッチが操作されている間は、上記温度保護手段の作動を抑止する抑止手段によって、モータを作動させるようにしたことを特徴とする集塵機。
【請求項３】
所定箇所の温度が設定温度に到達するとモータを強制的に停止させる温度保護手段を備えた集塵機において、モータを作動させる第１の電源スイッチとは別に、単独でモータを作動させる第２のスイッチが設けられ、温度保護手段の作動によるモータの停止後、上記所定箇所の温度が設定温度以上であっても、上記第２のスイッチが操作されている間は、上記温度保護手段が働かないようにしたことを特徴とする集塵機。
【発明の詳細な説明】
【技術分野】
【０００１】
本発明は、温度保護機能を備えた集塵機に関する。
【背景技術】
【０００２】
従来、集塵機には、モータの近傍等の所定箇所の温度が危険温度等の所定の設定温度に達したことを検知するとモータの電源を切り、その後所定箇所の温度が設定温度よりも低下すると再び電源を入れてモータを起動することができるようにする温度保護装置が設けられている。
【０００３】
ところが、従来の温度保護装置によれば、所定箇所の温度が設定温度に到達するとモータを停止させることができるのであるが、モータの停止後集塵袋を交換し或いはゴミを取り除いたにもかかわらず、モータ周辺の温度が下がっていないためにモータがすぐに作動せず、作業を行うことができない事態が生じ、作業性がすこぶる低下するという欠点がある。
【０００４】
この欠点を解消するため、温度保護装置における温度検知部の先端部を温度検知位置である送風機室内に配置し、後端部を温度が上昇しにくい位置である送風機室外の送風路に配置することが提案されている。これにより、送風機室内の温度が復帰温度に到達しなくても温度検知部が冷却風によって復帰温度に早く達し、速やかにモータを作動させることができる（例えば、特許文献１参照。）。
【０００５】
【特許文献１】特開平４−１５６８１１号公報
【発明の開示】
【発明が解決しようとする課題】
【０００６】
ところが、従来における温度検知部の先端部を温度検知位置である送風機室内に配置し、後端部を温度が上昇しにくい位置である送風機室外の送風路に配置する方法によれば、温度検知部の設置位置が限定されるという問題がある。また、温度検知部の位置調整が面倒であり、温度検知部の構造も複雑化するという問題がある。
【０００７】
したがって、本発明は上記問題点を解消する手段を提供することを目的とする。
【課題を解決するための手段】
【０００８】
上記課題を解決するため、請求項１に係る発明は、所定箇所（１３１）の温度が設定温度に到達するとモータ（１２７）を強制的に停止させる温度保護手段（１３０）を備えた集塵機において、温度保護手段（１３０）の作動によるモータ（１２７）の停止後、上記所定箇所（１３１）の温度が設定温度以上であっても、モータ起動直後の一定時間は、上記温度保護手段（１３０）の作動を抑止する抑止手段（１２３）によって、モータ（１２７）を強制的に作動させるようにした集塵機を採用する。
【０００９】
また、請求項２に係る発明は、所定箇所（１３１）の温度が設定温度に到達するとモータ（１２７）を強制的に停止させる温度保護手段（１３０）を備えた集塵機において、温度保護手段（１３０）の作動によるモータ（１２７）の停止後、上記所定箇所（１３１）の温度が設定温度以上であっても、電源スイッチ（１１６）が操作されている間は、上記温度保護手段（１３０）の作動を抑止する抑止手段（１２３）によって、モータ（１２７）を作動させるようにした集塵機を採用する。
【００１０】
また、請求項３に係る発明は、所定箇所（１３１）の温度が設定温度に到達するとモータ（１２７）を強制的に停止させる温度保護手段（１３０）を備えた集塵機において、モータ（１２７）を作動させる第１の電源スイッチ（１１６）とは別に、単独でモータ（１２７）を作動させる第２のスイッチ（１３２）が設けられ、温度保護手段（１３０）の作動によるモータ（１２７）の停止後、上記所定箇所（１３１）の温度が設定温度以上であっても、上記第２のスイッチ（１３２）が操作されている間は、上記温度保護手段（１３０）が働かないようにした集塵機を採用する。
【発明の効果】
【００１１】
請求項１に係る発明によれば、所定箇所（１３１）の温度が設定温度に到達するとモータ（１２７）を強制的に停止させる温度保護手段（１３０）を備えた集塵機において、温度保護手段（１３０）の作動によるモータ（１２７）の停止後、上記所定箇所（１３１）の温度が設定温度以上であっても、モータ起動直後の一定時間は、上記温度保護手段（１３０）の作動を抑止する抑止手段（１２３）によって、モータ（１２７）を強制的に作動させるようにした集塵機であるから、温度保護手段（１３０）の作動によるモータ（１２７）の停止後、抑止手段（１２３）により一定時間内は温度検出が行われないようにする等して、温度保護手段（１３０）の作動を抑止する。これにより、集塵袋（７）を交換した後、ゴミを取り除いた後等において、所定箇所（１３１）の温度が設定温度より低下するのを待つことなく直ちにモータ（１２７）を起動し集塵作業を行うことができる。また、設定温度以上に昇温したモータ（１２７）、ベアリングハウス部（１３１）等は、モータ（１２７）とともに作動するファン（１）が吸引する空気によって、急速に冷却され直ちに通常使用できる状態に復帰する。
【００１２】
請求項２に係る発明によれば、所定箇所（１３１）の温度が設定温度に到達するとモータ（１２７）を強制的に停止させる温度保護手段（１３０）を備えた集塵機において、温度保護手段（１３０）の作動によるモータ（１２７）の停止後、上記所定箇所（１３１）の温度が設定温度以上であっても、電源スイッチ（１１６）が操作されている間は、上記温度保護手段（１３０）の作動を抑止する抑止手段（１２３）によって、モータ（１２７）を作動させるようにした集塵機であるから、温度保護手段（１３０）の作動によるモータ（１２７）の停止後において、作業者が電源スイッチ（１１６）を押したり引いたりして操作する間は、抑止手段（１２３）が温度保護手段（１３０）の作動を抑止する。これにより、集塵袋（７）を交換した後、ゴミを取り除いた後等において、所定箇所（１３１）の温度が設定温度より低下するのを待つことなく直ちにモータ（１２７）を起動し集塵作業を行うことができる。また、設定温度以上に昇温したモータ（１２７）、ベアリングハウス部（１３１）等は、モータ（１２７）とともに作動するファン（１）が吸引する空気によって、急速に冷却され直ちに通常使用できる状態に復帰する。
【００１３】
請求項３に係る発明によれば、所定箇所（１３１）の温度が設定温度に到達するとモータ（１２７）を強制的に停止させる温度保護手段（１３０）を備えた集塵機において、モータ（１２７）を作動させる第１の電源スイッチ（１１６）とは別に、単独でモータ（１２７）を作動させる第２のスイッチ（１３２）が設けられ、温度保護手段（１３０）の作動によるモータ（１２７）の停止後、上記所定箇所（１３１）の温度が設定温度以上であっても、上記第２のスイッチ（１３２）が操作されている間は、上記温度保護手段（１３０）が働かないようにした集塵機であるから、温度保護手段（１３０）の作動によるモータ（１２７）の停止後において、作業者が第２のスイッチ（１３２）を操作する場合は、抑止手段（１２３）が温度保護手段（１３０）の作動を抑止する。これにより、集塵袋（７）を交換した後、ゴミを取り除いた後等において、所定箇所（１３１）の温度が設定温度より低下するのを待つことなく直ちにモータ（１２７）を起動し集塵作業を行うことができる。また、設定温度以上に昇温したモータ（１２７）、ベアリングハウス部（１３１）等は、モータ（１２７）とともに作動するファン（１）が吸引する空気によって、急速に冷却され直ちに通常使用できる状態に復帰する。
【発明を実施するための最良の形態】
【００１４】
以下、図面を参照して発明を実施するための最良の形態について説明する。
【００１５】
＜実施の形態１＞
この集塵機は、丸鋸、ディスクグラインダ等の図示しない工具に連動する工具連動式集塵機であり、図１及び図２に示すように、ファン１と、ファン１を駆動するモータ１２７と、ファン１及びモータ１２７を覆うハウジング３とを具備している。
【００１６】
ハウジング３のファン１を覆う箇所には吸入口部４と排出口部５とが設けられ、吸入口部４には集塵ホース６が着脱自在に連結され、排出口部５には集塵袋７が着脱自在に連結される。また、ハウジング３には冷却風取入口８が形成される。
【００１７】
モータ１２７の起動によりファン１が回転すると、集塵ホース６の図示しない先端から空気とともに吸い込まれた切粉等のゴミは、吸入口部４からハウジング３内に入り、排出口部５からハウジング３外の集塵袋７内に吐き出され、集塵袋７内に溜められる。また、ファン１により冷却風取入口８から冷却風がハウジング３内に取り入れられ、取り入れられた冷却風がモータ１２７、ベアリングハウス部１３１等に向って矢印ａ方向に流れ、モータ１２７の収納部とファン１の収納部との仕切り壁３ａに形成された導通口８ａを通ってファン１に向って矢印ｂ方向に流れる。
【００１８】
集塵袋７へと空気が流れている時は、集塵機のモータ１２７、ハウジング３等は、吸引される空気の流れによって冷却されるが、集塵袋７がゴミにより満杯になると空気流が停止し、集塵機のモータ１２７、ハウジング３等が冷却されなくなり、モータ１２７、ハウジング３等の温度が急上昇する。これを防止するため、集塵機には温度保護手段が設けられ、集塵機のモータ１２７、ハウジング３等における所定箇所の温度が設定温度に到達すると、この温度保護手段がモータ１２７を強制的に停止させるようになっている。
【００１９】
また、既述のごとく、モータ１２７の停止後に集塵袋７を交換し或いは詰まったゴミを取り除いたにもかかわらず、モータ１２７、ハウジング３等の温度が下がっていないためにモータ１２７がすぐに作動せず作業を行うことができない事態が生じるのを防止するため、この集塵機には温度保護手段の作動によるモータ１２７の停止後、上記所定箇所の温度が設定温度以上であっても、モータ１２７の起動直後の一定時間は、上記温度保護手段の作動を抑止する抑止手段が設けられ、モータ１２７を強制的に作動させることができるようになっている。
【００２０】
この温度保護手段及び抑止手段は、図３に示すような電気回路からなる制御装置として構成される。以下にこの制御装置の構成を集塵機の作用とともに説明する。
【００２１】
作業者により電源スイッチ１１６が投入されると、トランス１２０、ダイオードブリッジ１２１及び整流器１２２によりマイクロコンピュータ１２３に給電される。マイクロコンピュータ１２３に給電されると、電源灯１１７が点灯する。電源スイッチ１１６及び電源灯１１７は、図２に示すハウジング３の操作パネル９上に配置される。
【００２２】
また、作業者により連動・非連動選択スイッチ１１２及び低消費電力選択スイッチ１１４が適宜操作され、各スイッチ１１２，１１４のＯＮ／ＯＦＦ信号がマイクロコンピュータ１２３の入力ポートからマイクロコンピュータ１２３へ入力される。連動・非連動選択スイッチ１１２及び低消費電力選択スイッチ１１４は、図２に示すハウジング３の操作パネル９上に配置される。
【００２３】
発光ダイオードからなる連動・非連動認識灯１１３及び低消費電力認識灯１１５がマイクロコンピュータ１２３の出力ポートへ接続されており、マイクロコンピュータ１２３のＨ（高）／Ｌ（低）信号で、これらの認識灯１１３，１１５が消灯／点灯する。また、これら認識灯１１３，１１５は、図２に示すハウジング３の操作パネル９に配置される。
【００２４】
集塵機のコンセント１０２に図示しない電動工具が接続され、電流が流れると、電流変換機１２４に電圧が発生し、マイクロコンピュータ１２３のＡＤ変換ポートＡＮ１へ電動工具の起動信号が入力される。
【００２５】
フォトカプラＰＴ１の１次側１２５が、マイクロコンピュータ１２３の出力ポートＲＣ３へ接続されており、フォトカプラＰＴ１の２次側１２６が、トライアック１２８のゲートＴ１，Ｔ２間へ抵抗１２９を介し接続されている。マイクロコンピュータ１２３の出力ポートＲＣ３がＬレベルになると、トライアック１２８が導通する。
【００２６】
マイクロコンピュータ１２３のＩＮＴ端子には、０クロス信号が入力され、低消費電力モード時に０クロスを基準に位相制御を行い、集塵機のモータ１２７への電力を制限する。
【００２７】
上記連動・非連動選択スイッチ１１２の押し動作により、連動モードに切り替えられた場合は、コンセント１０２に電動工具が接続され、電源スイッチ１１６が投入されていると電動工具のスイッチ（図示せず）が投入され電流が流れると、集塵機のモータ１２７が作動する。また、非連動モードに切り替えられた場合は、コンセント１０２に接続された電動工具の作動の有無に関わらず、電源スイッチ１１６が投入されると集塵機のモータ１２７が作動する。
【００２８】
この制御装置は、温度センサであるサーミスタ１３０を含んでおり、このサーミスタ１３０が集塵機の所定箇所に取り付けられる。具体的には、図２に示すように、サーミスタ１３０は、モータ１２７の収納部とファン１の収納部との間の仕切り壁３ａに一体に形成され、モータ主軸１２７ａを軸支するベアリングを収納するベアリングハウス部１３１の近傍に設置される。なお、所定箇所はベアリングハウス部１３１の近傍に限定されるものでなく、モータ１２７等温度が上昇しやすい箇所であればよい。サーミスタ１３０は、その全体がハウジング３内であって冷却風通路上に収納される。サーミスタ１３０としては温度が上がると抵抗値が下がるタイプのＮＴＣサーミスタを使用することができる。このサーミスタ１３０による所定箇所の温度情報は、マイクロコンピュータ１２３のＡＤポートＡＮ０からマイクロコンピュータ１２３に入力される。
【００２９】
電源スイッチ１１６の投入によりモータ１２７が起動すると、丸鋸等の電動工具が図示しないワークを切削することにより発生する切粉等のゴミをファン１が回転しながら集塵袋７へと送り込む。電動工具による作業が進行し集塵袋７が一杯になったり、或いはハウジング３の通風路、排出口部５、吸入口部４等がゴミにより塞がれたりしてベアリングハウス部１３１近傍の温度が上昇し、サーミスタ１３０によって所定の設定温度（例えば、６５°Ｃ）に到達したことが検知されると、温度保護手段が働きマイクロコンピュータ１２３のプログラムが強制的にモータ１２７の作動を停止する信号を出力する。
【００３０】
この制御装置は、温度保護手段に対する抑止手段として、電源スイッチ１１６或いは電源スイッチ１１６と共に電動工具のスイッチ（図示せず）が投入され集塵機のモータ１２７が作動を開始した場合に作動開始直後の所定時間内（例えば、１０秒間）は、温度を監視させないように構成されたマイクロコンピュータ１２３のプログラムを備える。
【００３１】
これにより、集塵袋７を交換したり、ゴミを取り除いたりした後において、所定箇所の温度が設定温度より低下するのを待つことなく直ちにモータ１２７を起動し、ファン１の回転により冷却風取入口８より冷却風を取り入れ、モータ１２７を冷却するとともに、ベアリングハウス部１３１を冷却し、設定温度以下に下げるので、引き続き集塵作業を継続することができる。ゴミを取り除くことなくモータ１２７を起動した場合は、上記所定時間を経過した後、温度保護手段が機能してモータ１２７が停止し、ゴミを取り除いたうえで電源スイッチ１１６を投入すると、抑止手段が働いて所定箇所の温度が設定温度より低下するのを待つことなく直ちにモータ１２７を起動させ、前述同様に所定箇所の温度を設定温度以下に下げるので、引き続き通常の集塵作業を継続することができる。
【００３２】
このように抑止手段の機能によりモータ１２７を強制的に回転させたとしても、設定温度以上に昇温したモータ１２７、ベアリングハウス部１３１等は、ファン１が冷却風取入口８からハウジング３内に吸引する冷却風によって、急速に冷却され直ちに設定温度以下に低下することとなる。そのため、温度保護手段が働くことなく引き続き通常の集塵作業を継続することができる。
【００３３】
＜実施の形態２＞
この実施の形態２に係る集塵機は、電動工具に連動することなく単独で作動するもので、図４に示すような電気回路からなる制御装置を備える。
【００３４】
以下にこの制御装置の構成を集塵機の作用とともに説明する。
【００３５】
この制御装置の電源スイッチ１１６は、作業者が強く押し込むか又は強く引く操作を行っている時のみＯＮになり、作業者が電源スイッチ１１６から手を放すとＯＦＦになるモーメンタリースイッチとしての接点ＳＷｂと、作業者が押し込むか又は引く操作をするとＯＮになり、作業者が手を放してもＯＮ状態を維持するオルタネートスイッチとしての接点ＳＷａとから構成されている。そして、電源スイッチ１１６を操作すると、まず接点ＳＷａがＯＮになり、引き続きさらに押し込むか又は引く操作をすると接点ＳＷｂがＯＮとなるように構成されている。
【００３６】
通常の集塵作業では、作業者が電源スイッチ１１６を操作すると、接点ＳＷａがＯＮになってこの電気回路に給電され、作業者が電源スイッチ１１６から手を放してもＳＷａのＯＮ状態が維持される。
【００３７】
電源スイッチ１１６の接点ＳＷａのＯＮ操作によりこの電気回路に給電されると、マイクロコンピュータ１２３のＲＣ３がＬレベルになりモータを作動させる。これにより、ファン１（図２参照）が回転し通常の集塵を行う。
【００３８】
温度センサであるサーミスタ１３０は実施の形態１と同様に配置され、このサーミスタ１３０からの温度の情報が、マイクロコンピュータ１２３にＡＤポートＡＮ０から入力される。
【００３９】
モータ１２７が作動している間に、集塵袋７（図１及び図２参照）が一杯になる等して温度が上昇し、設定温度（例えば、６５°Ｃ）に到達すると温度保護手段が働きマイクロコンピュータ１２３のプログラムにより、強制的にモータ１２７が停止せしめられる。
【００４０】
この制御装置は、温度保護手段に対する抑止手段として、温度保護手段の作動によるモータ１２７の停止後、所定箇所であるベアリングハウス部１３１の近傍の温度が設定温度以上であっても、電源スイッチ１１６が操作され接点ＳＷｂがＯＮになっている間は、温度を監視させないように作成されたマイクロコンピュータ１２３のプログラムを備える。
【００４１】
すなわち、電源スイッチ１１６が操作されると、まず接点ＳＷａがＯＮになり、引き続きさらに電源スイッチ１１６が操作されると接点ＳＷｂがＯＮ状態となる。この状態の時は、マイクロコンピュータ１２３の入力端子ＲＡ１がＬレベルになる。マイクロコンピュータ１２３はＲＡ１がＬレベルの時、サーミスタ１３０に温度を監視させないように指令を発し、これによりモータ１２７が作動しファン１（図２参照）を回転させる。
【００４２】
かくて、集塵袋７を交換した後、ゴミを取り除いた後等において、ベアリングハウス部１３１（図２参照）近傍等の所定箇所の温度が設定温度より低下するのを待つことなく直ちにモータ１２７を起動し集塵作業を行うことができる。また、設定温度以上に昇温したモータ１２７、ベアリングハウス部１３１等は、モータ１２７とともに作動するファン１がハウジング３外部から吸引する冷却風によって、急速に冷却され直ちに通常使用できる状態に復帰する。そのため、温度保護手段が働くことなく引き続き通常の集塵作業を継続することができる。
【００４３】
＜実施の形態３＞
この実施の形態３に係る集塵機は、電動工具に連動することなく単独で作動するもので、図５に示すような電気回路からなる制御装置を備える。
【００４４】
以下にこの制御装置の構成を集塵機の作用とともに説明する。
【００４５】
図５に示すように、この制御装置は、モータ１２７を作動させる第１の電源スイッチ１１６とは別に、単独でモータ１２７を作動させる第２のスイッチ１３２を備え、温度保護手段の作動によるモータ１２７の停止後、ハウジング３内のベアリングハウス部１３１近傍等の所定箇所の温度が設定温度以上であっても、第２のスイッチ１３２が操作されている間は、温度保護手段を働かせないようになっている。接点ＳＷ２は、第１の電源スイッチ１１６とは別に設けられた第２のスイッチ１３２の接点であり、第１の電源スイッチ１１６とは無関係に単独で作動する。
【００４６】
温度センサであるサーミスタ１３０が実施の形態１と同様に配置され、このサーミスタ１３０からの温度情報が、マイクロコンピュータ１２３にＡＤポートＡＮ０から入力される。
【００４７】
モータ１２７が作動している間に、集塵袋７（図１及び図２参照）が一杯になる等して温度が上昇し、設定温度（例えば、６５°Ｃ）に到達すると温度保護手段が働きマイクロコンピュータ１２３のプログラムにより、強制的にモータ１２７が停止せしめられる。
【００４８】
作業者が、第１の電源スイッチ１１６をＯＮにすると、電気回路に給電され、マイクロコンピュータ１２３のＲＣ３がＬレベルになって、モータ１２７が起動しファン１（図２参照）が回転して集塵を行う。
【００４９】
モータ１２７が作動している時、集塵袋７が一杯になる等して温度が上昇し、ベアリングハウス部１３１近傍の温度が設定温度（例えば、６５度）に到達すると、温度保護手段が働きマイクロコンピュータ１２３のプログラムにより、モータ１２７が強制的に停止せしめられる。
【００５０】
この制御装置は、温度保護手段に対する抑止手段として、温度保護手段の作動によるモータ１２７の停止後、ベアリングハウス部１３１近傍等の所定箇所の温度が設定温度以上であっても、第２のスイッチ１３２が操作されている間は、温度を監視させないように作成されたマイクロコンピュータ１２３のプログラムを備える。
【００５１】
すなわち、マイクロコンピュータ１２３のＲＡ１がＬレベルの時、換言すれば第２のスイッチ１３２の操作によりモータ１２７が作動するときは、温度を監視させないようにマイクロコンピュータ１２３がプログラミングされている。これにより、第２のスイッチ１３２が作業者により操作され、接点ＳＷ２がＯＮ状態になると、温度検出がキャンセルされ、マイクロコンピュータ１２３の入力端子ＲＡ１がＬレベルになってモータ１２７が作動し、ベアリングハウス部１３１近傍の温度が設定温度以上であっても、集塵が行われることになる。
【００５２】
従って、集塵袋７を交換した後、ゴミを取り除いた後等において、ベアリングハウス部１３１近傍等の所定箇所の温度が設定温度より低下するのを待つことなく第２のスイッチ１３２を押すことで直ちにモータ１２７を起動し集塵作業を続行することができる。また、設定温度以上に昇温したモータ１２７、ベアリングハウス部１３１等は、モータ１２７とともに作動するファン１がハウジング３の外部から吸引する冷却風によって、急速に冷却され直ちに通常使用できる状態に復帰する。そのため、温度保護手段が働くことなく引き続き通常の集塵作業を継続することができる。
【００５３】
以上、本発明の望ましい実施の形態について説明したが、本発明は上記実施の形態に限定されるものではなく、本発明の要旨を逸脱しない範囲内で種々変更可能である。
【図面の簡単な説明】
【００５４】
【図１】本発明の実施の形態１に係る集塵機の正面図である。
【図２】図１に示す集塵機の部分切欠平面図である。
【図３】図１に示す集塵機の制御回路図である。
【図４】本発明の実施の形態２に係る集塵機の制御回路図である。
【図５】本発明の実施の形態３に係る集塵機の制御回路図である。
【符号の説明】
【００５５】
１…ファン
７…集塵袋
１１６…電源スイッチ
１２３…マイクロコンピュータ
１２７…モータ
１３０…サーミスタ
１３１…ベアリングハウス部
１３２…第２のスイッチ
【図１】
2007050360.tif 000003
【図２】
2007050360.tif 000004
【図３】
2007050360.tif 000005
【図４】
2007050360.tif 000006
【図５】
2007050360.tif 000007